(57)【要約】【課題】書籍状原稿を画像読取装置のスキャン面に載置して読み取ったスキャン画像の歪み補正処理に利用者の指示が反映でき、所望する補正結果を得られるようにする。【解決手段】指示部７７は、タッチパネル等で構成される指示入力部７８から入力された画像の取り込み時の指示や、歪み補正、サイズ補正、画像出力の各処理に対する指示データを処理モード記憶部８０に記憶させ、更にスキャナに関する光学的情報をスキャナ情報記憶部７９に記憶させ、各種の処理時に必要に応じて参照できるようにする。【選択図】図７
2008178137.tif 000002
【特許請求の範囲】
【請求項１】
綴じ部がある原稿を画像読取装置のスキャン面に載置して読み取ったスキャン画像の歪みを補正する画像処理装置であって、歪み補正後の画像を調整する画像調整手段を備えたことを特徴とする画像処理装置。
【請求項２】
請求項１記載の画像処理装置において、前記画像調整手段は補正画像の綴じ部を画像中央へ移動させる中心合わせを行うことを特徴とする画像処理装置。
【請求項３】
請求項１記載の画像処理装置において、前記画像調整手段は補正画像の大きさを原稿の大きさと一致させることを特徴とする画像処理装置。
【請求項４】
請求項１記載の画像処理装置において、前記画像調整手段は補正画像の綴じ部を画像中央へ移動させ、かつ出力画像の大きさを原稿の大きさと一致させることを特徴とする画像処理装置。
【請求項５】
請求項１乃至４のいずれか１項記載の画像処理装置において、補正画像の調整を指示する指示手段を設け、前記画像調整手段は前記指示手段の指示を受けて補正画像の調整を行うことを特徴とする画像処理装置。
【請求項６】
綴じ部がある原稿を画像読取装置のスキャン面に載置して読み取ったスキャン画像の歪みを補正する画像処理プログラムであって、コンピュータを歪み補正後の画像を調整する画像調整手段として機能させることを特徴とする画像処理プログラム。
【請求項７】
前記画像調整手段は補正画像の綴じ部を画像中央へ移動させる中心合わせを行うことを特徴とする請求項６記載の画像処理プログラム。
【請求項８】
前記画像調整手段は補正画像の大きさを原稿の大きさと一致させることを特徴とする請求項６記載の画像処理プログラム。
【請求項９】
前記画像調整手段は補正画像の綴じ部を画像中央へ移動させ、かつ出力画像の大きさを原稿の大きさと一致させることを特徴とする請求項６記載の画像処理プログラム。
【請求項１０】
請求項６乃至９のいずれか１項記載の画像処理プログラムにおいて、補正画像の調整を指示する指示手段を設け、前記画像調整手段は前記指示手段の指示を受けて補正画像の調整を行うことを特徴とする画像処理プログラム。
【請求項１１】
請求項６乃至１０のいずれか１項記載の画像処理プログラムを記録したコンピュータ読み取り可能な記録媒体。
【発明の詳細な説明】
【技術分野】
【０００１】
本発明は、画像処理に関し、詳しくは原稿の一部がスキャン面から浮き上がって撮られた書籍等のスキャン画像の歪み補正に関する。
【背景技術】
【０００２】
フラットベッドスキャナを用いて綴じ部のある厚手のブック原稿（本、冊子など）をスキャンする際は、図１６に示すように、ブック原稿４０の綴じ部４１が画像読取装置１のコンタクトガラス２から浮き上がった状態でスキャンすることになる。この図の例では、ブック原稿４０の綴じ部４１が主走査方向とほぼ平行になるようにコンタクトガラス２に載置されており、このような状態で撮られたスキャン画像は、図１７に示すように綴じ部境界線の両側に歪んだ部分が生じ、主走査方向および副走査方向ともに縮んだ画像となって現れる。
本図の例では、画像読取装置１がデジタル複写機１６の一部として構成されており、原稿をコンタクトガラス２に密着させるための開閉自在な圧板１７と、この圧板１７の開閉を検出する開閉センサ１８とが設けられている。なお、１１は原稿を載置する基準になるとともに、コンタクトガラス２のズレや外れを防止する原稿スケールであるが、本発明とは直接関係しないので詳しい説明は省略する。
【０００３】
図１７のように歪んだスキャン画像を主走査方向および副走査方向に伸張して歪みを補正する技術がいくつか提案されている。例えば特許文献１では、本の外形（ページ外形）、罫線、文字行等の原稿中の直線部分がどのように湾曲しているかを調べ、元の直線に補正する場合の拡大率を求めて主走査方向を伸張する。
また、副走査方向の補正では、スキャナのレンズ中心を通る光軸の主走査方向の位置とレンズからスキャン面までの距離が判れば、コンタクトガラス２からの原稿の浮上り量が計算できるので、３次元位置が把握でき、この３次元位置情報を用いて副走査方向の伸張を行うようにしている。
また、特許文献２では、スキャナのレンズ中心を通る光軸の主走査方向の位置とレンズからスキャン面までの距離が判らない場合の副走査方向の補正について、スキャン画像中の文字に外接する矩形の幅と高さの比を用いる方法が提案されている。
【特許文献１】特開２００２−３５８５１４公報
【特許文献２】特願２００２−２４７６４３
【発明の開示】
【発明が解決しようとする課題】
【０００４】
しかしながら、従来の技術では、歪み補正を必要とする利用者が補正処理に介入できず、長い処理時間を要したり、補正画像の質がかえって低下したり、あるいは補正の結果が原稿サイズと異なってしまうという問題があった。
本発明は、上記問題を解決すべく、歪み補正処理に利用者の指示が反映でき、所望する補正結果を得ることができる画像処理装置および画像処理プログラムを提供することを目的とする。
【課題を解決するための手段】
【０００５】
上記の課題を解決するために、本発明の請求項１は、綴じ部がある原稿を画像読取装置のスキャン面に載置して読み取ったスキャン画像の歪みを補正する画像処理装置であって、歪み補正後の画像を調整する画像調整手段を備えたことを特徴とする。
こうすることにより、一般に補正後は画像が伸張して補正前よりも副走査方向が長くなるので、補正前画像がＡ４やＢ５等の規格サイズであっても補正後は規格外のサイズになってしまったり、左右のページの大きさが不揃いになってしまうのが防げる。
また、本発明の請求項２は、請求項１記載の画像処理装置において、前記画像調整手段は補正画像の綴じ部を画像中央へ移動させる中心合わせを行うことを特徴とする。
こうすることにより、出力画像を紙にプリントアウトして副走査方向の中心で折り曲げる場合、折り目が綴じ部に一致する。
また、本発明の請求項３は、請求項１記載の画像処理装置において、前記画像調整手段は補正画像の大きさを原稿の大きさと一致させることを特徴とする。
【０００６】
また、本発明の請求項４は、請求項１記載の画像処理装置において、前記画像調整手段は補正画像の綴じ部を画像中央へ移動させ、かつ出力画像の大きさを原稿の大きさと一致させることを特徴とする。
また、本発明の請求項５は、請求項１乃至４のいずれか１項記載の画像処理装置において、補正画像の調整を指示する指示手段を設け、前記画像調整手段は前記指示手段の指示を受けて補正画像の調整を行うことを特徴とする。
こうすることにより、不必要な場合の補正画像の調整が避けられ、所望の結果を短い処理時間で得られるようになる。
また、本発明の請求項６は、綴じ部がある原稿を画像読取装置のスキャン面に載置して読み取ったスキャン画像の歪みを補正する画像処理プログラムであって、コンピュータを歪み補正後の画像を調整する画像調整手段として機能させることを特徴とする画像処理プログラムである。
【０００７】
また、本発明の請求項７は、請求項６記載の画像処理プログラムにおいて、前記画像調整手段は補正画像の綴じ部を画像中央へ移動させる中心合わせを行うことを特徴とする。
また、本発明の請求項８は、請求項６記載の画像処理プログラムにおいて、前記画像調整手段は補正画像の大きさを原稿の大きさと一致させることを特徴とする。
また、本発明の請求項９は、請求項６記載の画像処理プログラムにおいて、前記画像調整手段は補正画像の綴じ部を画像中央へ移動させ、かつ出力画像の大きさを原稿の大きさと一致させることを特徴とする。
【０００８】
また、本発明の請求項１０は、請求項６乃至９のいずれか１項記載の画像処理プログラムにおいて、補正画像の調整を指示する指示手段を設け、前記画像調整手段は前記指示手段の指示を受けて補正画像の調整を行うことを特徴とする。
また、本発明の請求項１１は、請求項６乃至１０のいずれか１項記載の画像処理プログラムを記録したコンピュータ読み取り可能な記録媒体である。
【発明の効果】
【０００９】
以上説明したように本発明の画像処理装置によれば、歪み補正処理に利用者の指示が反映でき、必要以上の時間をかけて不適切な補正結果になることが回避でき、所望する補正結果を得ることができる。
また、本発明の画像処理プログラムによれば、処理に自由度を持たせることができ、外部記憶装置の使用量を減少させたり、ＣＰＵの処理時間を短縮する等コンピュータ資源を有効に利用することができる。
【発明を実施するための最良の形態】
【００１０】
以下、図面を参照して、本発明の実施形態を具体的に説明する。
図１は、本発明の歪んだ書籍スキャン画像を主走査方向に補正する際の概要を示す図である。画像読取装置１でスキャンしたスキャン画像には、ページの輪郭（外形）や罫線、あるいは横書きの文字が含まれているのが通常である。ページ外形は圧板１７の開閉状態や原稿の置き方によっては鮮明に現れないこともある。また、罫線は必ずしも含まれているとは限らない。しかし、原稿中の水平な線は歪み補正の大きな手がかりとなる。図１の左側の湾曲した水平な線（あるいは文字行のように水平とみなせる仮想の線）を右側のように復元できれば、少なくとも主走査方向（図の上下方向）の歪みは補正できる。具体的には、スキャン画像中のページ外形、罫線、文字行を抽出し、それらの関係が互いに平行になるように画像を伸張する。
なお、ページ外形のごく近傍（約２ミリメートル以内）に文字や画像があった場合、ページ外形の認識が不安定になるので、予めページ外形を使用しないようにして、罫線や文字行のみを用いて補正することも必要である。また、元画像が２値画像の場合は常にページ外形は利用しない方が良い。
図２は縦書き文字行から水平線を抽出して主走査方向の補正を行う際の概要を示す図である。各行の行頭と行末の文字位置からこれらを結ぶ線を抽出する。
なお、ページ外形、罫線、文字行から抽出した仮想の水平線を以後、参照線と呼ぶことにする。
副走査方向の補正は、スキャナーパラメーター（スキャナーレンズの光軸の位置、および、レンズ中心とスキャン面間の距離）が既知か未知かにより処理が異なる。
【００１１】
図３は、スキャナーパラメーターが未知の場合に行う副走査方向の補正の概要を示す図である。主走査方向の補正が済んだスキャン画像から各文字に外接する矩形を抽出する。この文字外接矩形は、文字認識の技術分野では良く知られている。図３の上側は抽出された文字外接矩形の状態を示している。すなわち、綴じ部近傍の矩形では、横の長さが縦の長さに比べて短い。つまり副走査方向に縮んだ形となる。スキャナーパラメーターが未知の場合は、画像を縦長の短冊領域に分割し、各短冊領域内の文字外接矩形の（幅）／（高さ）の平均が等しくなるように副走査方向に伸張する（図３の下側）。なお、画像の歪んでいない部分に普通の漢字やかながあって、綴じ部付近に半角数字しか無いような場合、半角数字が全角に引き伸ばされてしまうことを防ぐために、パラメーターが未知の場合に限り、副走査方向の補正を行わないようにすることも、不適切な補正を回避する上で必要である。
図４は、スキャナーパラメーターが既知の場合に行う副走査方向の補正の概要を示す図である。図４左側の未補正のスキャン画像におけるＡＢ断面を示したのが右側の図である。スキャナーパラメーターが既知の場合は、ページ外形／罫線／文字行等の参照線の湾曲の度合いから書籍表面のスキャン面からの浮きの高さ（浮上り量）ｈを求め、図４右側のように、副走査方向の1画素分をｍ倍に伸張して継ぎ足していく。なお、詳しくは前掲した特許文献に記載されている。
図５および図６は、入力画像に歪み補正を施した画像の形状の変化を示す図である。画像の出力においては、入出力画像サイズを一致させる場合と不一致の場合とを選択できることが望ましい。不一致の場合は書籍領域を補正した画像をそのまま出力する（図５（ｃ）、図６（ｃ））。一致させる場合は、書籍領域を補正した画像を入力画像領域内に再配置して出力する（図５（ｄ）、図６（ｄ））。その際、補正後綴じ部位置を入力画像領域の主走査方向に平行な中心線に一致させ、かつ、補正後書籍領域で入力画像領域をはみ出した部分を除去する。図５（ｄ）は補正後書籍領域が入力画像領域に収まった例で、図６（ｄ）は、はみ出した例である。
【００１２】
次に、上述した画像処理を行う本発明の画像処理装置の構成を説明する。
図７は本発明の画像処理装置の機能構成を示すブロック図である。同図において、画像入力部７１はスキャナ等で構成される画像読取装置１から綴じ部が歪んだスキャン画像を受け取る。スキャン画像は、スキャナ等の画像読取装置１だけでなく、図示しないネットワークやハードディスク等からも受け取れるようなっている。画像解析部７２は前述した参照線を抽出すべく、スキャン画像を解析するものである。参照線の候補であるページ外形／罫線／文字行は、スキャン画像を２値化した画像の黒ドットのヒストグラムを作成することで検出できる。この技術は公知であるので説明は省略する。
主走査方向補正部７３、副走査方向補正部７４は、前述した方法で歪みを補正する部分である。また、サイズ補正部７５は、補正後の画像の綴じ部の中心合わせ、画像サイズの調整を行う部分である。画像出力部７６は、補正画像を印刷出力するために、図示しないプリンタエンジンやネットワークあるいはハードディスク等へ送る制御を行う。
指示部７７は、タッチパネル等で構成される指示入力部７８から入力された画像の取り込み時の指示や、歪み補正、サイズ補正、画像出力の各処理に対する指示データを処理モード記憶部８０に記憶させ、更にスキャナーパラメーターとして説明したスキャナに関する情報をスキャナ情報記憶部７９に記憶させ、各種の処理時に必要に応じて参照できるようにする。スキャナ情報記憶部７９は不揮発ＲＡＭのような電源が切れても記憶を失わないメモリで構成すると良い。なお、スキャナーパラメーターは画像入力装置１（スキャナ）に固有の数値であり、スキャナの接続時に設定すると良い。
【００１３】
図８は図７に示した画像処理機能を実現するハードウエア構成を示す図である。画像処理主要部１９は、図８に示すように、各部を集中的に制御するＣＰＵ（Central Processing Unit）３１を備えており、このＣＰＵ３１には、ＢＩＯＳなどを記憶した読出し専用メモリであるＲＯＭ（Read Only Memory）３２と、各種データを書換え可能に記憶してＣＰＵ３１の作業エリアとして機能するＲＡＭ（Random Access Memory）３３とがバス３４で接続されており、マイクロコンピュータを構成している。さらにバス３４には、制御プログラムが記憶されたＨＤＤ３５と、ＣＤ（Compact Disc）−ＲＯＭ３７を読み取るＣＤ−ＲＯＭドライブ３６と、プリンタ部やネットワーク等との通信を司るインタフェース（Ｉ／Ｆ）３８とが接続されている。
図８に示すＣＤ−ＲＯＭ３７は、この発明の画像処理プログラムを記憶する記録媒体であり、所定の制御プログラムが記憶されている。ＣＰＵ３１は、ＣＤ−ＲＯＭ３７に記憶されている制御プログラムをＣＤ−ＲＯＭドライブ３６で読み取り、ＨＤＤ３５にインストールする。これにより、画像処理主要部１９は、前述したような各種の処理を行うことが可能な状態となる。
なお、記録媒体としては、ＣＤ−ＲＯＭ３７のみならず、ＤＶＤなどの各種の光ディスク、各種光磁気ディスク、フレキシブルディスクなどの各種磁気ディスク、半導体メモリ等、各種方式のメディアを用いることができる。また、インターネットなどのネットワークからプログラムをダウンロードし、ＨＤＤ３５にインストールするようにしてもよい。この場合に、送信側のサーバでプログラムを記憶している記憶装置も、この発明の画像処理プログラムを記憶する記録媒体である。なお、プログラムは、所定のＯＳ（Operating System）上で動作するものであってもよいし、その場合に後述の各種処理の一部の実行をＯＳに肩代わりさせるものであってもよいし、ワープロソフトなど所定のアプリケーションソフトやＯＳなどを構成する一群のプログラムファイルの一部として含まれているものであってもよい。
【００１４】
次に、画像処理主要部１９に設けられたＣＰＵ３１が制御プログラムに基づいて実行する各種処理の内容について説明する。
図９は、歪み補正処理の全体の流れを示すフローチャートである。まず、画像のスキャン方法や、参照線の抽出方法、副走査方向の補正の要否、補正後画像の調整等を指示する処理モード指示を行う（ステップＳ９０）、例えば接続されているスキャナから画像を読み取る場合は、スキャン方法でカラーかモノクロか、モノクロの場合は２値か多値かを指定する。実際には解像度やスキャン領域等の指示も必要であるが、本発明に関係する項目に限って説明している。参照線の抽出方法では、ページ外形の抽出を行うか否かを、また、副走査方向の補正の要否、補正後画像の中心合わせや原稿サイズと同一サイズによる出力の指示を行う。なお、ここでは処理モードを最初に設定したが、スキャナの読み取りに関する指示以外は、処理の途中で設定するようにしても良い。
次にスキャン画像を入力する（ステップＳ９１）。スキャナから取得する以外に、既に読み取り済みの画像ファイルから入力しても良い。この場合は、スキャナ情報がない場合が多いので、スキャナーパラメーターが未知の補正処理となる。次に参照線を抽出する（ステップＳ９２）。そして、抽出した参照線を利用してまず主走査方向の補正を行う（ステップＳ９３）。そして、副走査方向の補正の要否をチェックし（ステップＳ９４）、補正の指示がされていれば副走査方向の補正を行う（ステップＳ９５）。補正の指示がなされていなければ、副走査方向の補正を行わずに、補正後のサイズ補正を行う（ステップＳ９６）。そして、結果をハードディスクに格納あるいはプリンタエンジンに送って印刷出力する（ステップＳ９７）。
【００１５】
図１０は図９の参照線探索（ステップＳ９２）の処理を詳細に説明したフローチャートである。処理モードで２値画像が指示されていた場合（ステップＳ１００でＹｅｓ）、あるいはページ外形を抽出しない（ステップＳ１０１でＮｏ）の場合は、ページ外形抽出を行わずに罫線抽出（ステップＳ１０４）に進む。そうでない場合は、ページ外形を抽出する（ステップＳ１０２）。なお、このフローチャートでは省略しているが、ページ外形も罫線も、あるいは文字行も事前にスキャン画像を２値化して、各主走査位置での黒画素のヒストグラムを作成するとよい。参照線は綴じ部（主走査方向）に垂直な線であるので、直線部分が長い線はヒストグラムで高い頻度を示す。上と下の２本のページ外形が抽出できたら（ステップ１０３でＹｅｓ）終了して呼び出し元に戻る。ここでは必ずしも２本のページの外形（輪郭）を抽出できなくても、１本でも抽出できれば良い。そして抽出した外形の位置を示す情報を保存して呼び出し元に戻る。
２値画像の指定かページ外形を使用しないという指示になっているか、あるいはページ外形の抽出ができなかった場合は罫線抽出を行う（ステップＳ１０４）。抽出方法はページ外形と同じ方法で、ヒストグラムを解析して行う。ここでも２本のなるべく離れた罫線を抽出するように試みるが、１本でも抽出できれば、罫線の位置を示す情報を保存して呼び出し元に戻る。
以上で参照線抽出の処理は終了する。
【００１６】
次に、主走査方向の補正の説明をする。図１１は図９の主走査方向補正（ステップＳ９３）の処理を詳細に説明したフローチャートである。初めに、参照線が抽出されているかをチェックする（ステップＳ１１０）。もし、１本も抽出されていなければ補正はできないので終了となる。参照線が抽出されていれば、その直線部分の延長線を求める（ステップＳ１１１）。２本の参照線が抽出されていて、ともに延長線を求めたら（ステップＳ１１２でＹｅｓ）、伸張処理（ステップＳ１１４）へ進む。参照線が１本しか抽出されていなかった場合は、参照線を追加する（ステップＳ１１３）。追加の方法は、スキャン画像の綴じ部の中央を通る綴じ部と垂直な線を補っても、スキャナの情報があれば、レンズ中心位置の副走査方向の軌跡でも良い。直線を追加したのだから、この場合は延長線を求める必要は無い。
次に、主走査方向の伸張処理を行う（ステップＳ１１４）。図１２は主走査方向の歪み補正を説明する図である。この図において、補正前の参照線１、参照線２をそれぞれ実線で、補正後をそれぞれ点線で表している。補正後の点線は、補正前の参照線１、参照線２の直線部分（平坦部）をそのまま延長したものである。ここで、副走査方向の位置Ｘにおいて、参照線上の点ＰがＰ’に、参照線上の点ＱがＱ’に、それぞれ補正される。それで、位置Ｘにおける主走査方向上の任意の点ＹがＹ’に補正されるとして、次の関係式が成り立つ、
ＹＰ／ＹＱ＝Ｙ’Ｐ’／Ｙ’Ｑ’
よって、各点の主走査方向の位置を、点ＰならＰ（ｙ）というように表すと、
（Ｙ（ｙ）−Ｐ（ｙ））／（Ｙ（ｙ）−Ｑ（ｙ））＝
（Ｙ’（ｙ）−Ｐ’（ｙ））／（Ｙ’（ｙ）−Ｑ’（ｙ））
となるので、これを変形して、
Ｙ（ｙ）＝
（（Ｐ（ｙ）−Ｑ（ｙ））／（Ｐ’（ｙ）−Ｑ’（ｙ）））Ｙ’（ｙ）＋（Ｐ’（ｙ）Ｑ（ｙ）−Ｐ（ｙ）Ｑ’（ｙ））／（Ｐ’（ｙ）−Ｑ’（ｙ））
となる。そして、補正前のY（ｙ）の位置の画素値を、補正後のY'（ｙ）の位置の画素値とする。
以上が、主走査方向の歪み補正の方法である。
【００１７】
次に、副走査方向補正の流れを説明する。
図１３は、図９の副走査方向補正（ステップＳ９５）の処理を詳細に説明したフローチャートである。スキャナーパラメーターがスキャナ情報記憶部７９にセットされているかをチェックする（ステップＳ１３０）。されていたら（ステップＳ１３０であり）、浮上り量の計算を参照線が湾曲している部分のすべての副走査位置で行う（ステップＳ１３１）。浮上り量は、図１４で示す光学系の位置関係から計算できる。図１４は通常のスキャナとは図が上下逆になっているが、ある副走査位置における原稿の位置とみかけ上の位置を示したものである。この図では、原稿がＴだけ浮上っている場合は、本来Ｋａという位置にある像が×だけ内側のＡ３という位置に見えることを示している。これは、主走査方向の画像はレンズを用いて取得するためであり、スキャナーパラメーター（光軸の位置Ａｋと焦点面距離）が判ればＫａとＡ３から次の式で求めることができる。
Ｔ＝焦点面距離＊（Ａ３−Ａｋ）／｛（Ａｋ−Ｋａ）−（Ａ３−Ａｋ）｝
以上のようにして求めた浮上り量で、図４の右側の図のように平面に伸張していけば、浮上り量による伸張処理が行える（ステップＳ１３２）。
一方、スキャナ情報がない場合は（ステップ１３０でなし）、文字外接矩形を抽出する（ステップＳ１３３）。そして矩形縦横比により伸張処理を行う（ステップＳ１３４）。矩形縦横比による伸張処理の概要は既に述べた、また、より詳細な方法は前掲した特許文献に記載されている。
さて、歪み補正が終了した画像は、完璧に補正された場合を除き、多少の誤差を含んでいる。この誤差は、綴じ部（中心線）のズレや原稿との画像サイズの違いとして現れる。図１５は図９のサイズ補正（ステップＳ９６）の処理を詳細に説明したフローチャートである。処理モード記憶部８０に記憶されているサイズ調整の指示で、中心合わせが指示されていたら（ステップＳ１４０でＹｅｓ）、原稿画像の綴じ部が出力画像の中央になるように画像を移動する（ステップＳ１４１）、また、原稿と同一のサイズによる出力が指示されていたら（ステップＳ１４２でＹｅｓ）、はみ出し部分を削除する（ステップＳ１４３）。なお、サイズと中心合わせの両方を同時に指示する、例えば原稿一致というモードを用意して、この指示がなされた場合は、中心合わせと、同一サイズ合わせを共にＯＮにする（指示する）ように指示を内部で変更するようにすれば実現できる。
【図面の簡単な説明】
【００１８】
【図１】スキャン画像を主走査方向に補正する際の概要を示す図である。
【図２】縦書き文字行から水平線を抽出して主走査方向の補正を行う際の概要を示す図である。
【図３】スキャナーパラメーターが未知の場合に行う副走査方向の補正の概要を示す図である。
【図４】スキャナーパラメーターが既知の場合に行う副走査方向の補正の概要を示す図である。
【図５】補正画像のサイズの変化と補正後書籍領域が入力画像領域に収まった例を示す図である。
【図６】補正画像のサイズの変化と補正後書籍領域が入力画像領域をはみ出した例を示す図である。
【図７】本発明の画像処理装置の機能構成を示すブロック図である。
【図８】本発明の画像処理機能を実現するハードウエア構成を示す図である。
【図９】歪み補正処理の全体の流れを示すフローチャートである。
【図１０】参照線探索処理を詳細に説明したフローチャートである。
【図１１】主走査方向補正処理を詳細に説明したフローチャートである。
【図１２】主走査方向の歪み補正を説明する図である。
【図１３】副走査方向補正処理を詳細に説明したフローチャートである。
【図１４】浮上り量の計算を説明する図である。
【図１５】サイズ補正処理を詳細に説明したフローチャートである。
【図１６】ブック原稿を読み取る際の状態を示す斜視図である。
【図１７】スキャン画像で歪みが生じる部分を説明する図である。
【符号の説明】
【００１９】
１  画像読取装置、３１  ＣＰＵ、３２  ＲＯＭ、３３  ＲＡＭ、３４  バス、３５  ＨＤＤ、３６  ＣＤ−ＲＯＭドライブ、３７  ＣＤ−ＲＯＭ、３８  インタフェース、７１  画像入力部、７２  画像解析部、７３  主走査方向補正部、７４  副走査方向補正部、７５  サイズ補正部、７６  画像出力部、７７  指示部、７８  指示入力部、７９  スキャナ情報記憶部、８０  処理モード記憶部
【図１】
2008178137.tif 000003
【図２】
2008178137.tif 000004
【図３】
2008178137.tif 000005
【図４】
2008178137.tif 000006
【図５】
2008178137.tif 000007
【図６】
2008178137.tif 000008
【図７】
2008178137.tif 000009
【図８】
2008178137.tif 000010
【図９】
2008178137.tif 000011
【図１０】
2008178137.tif 000012
【図１１】
2008178137.tif 000013
【図１２】
2008178137.tif 000014
【図１３】
2008178137.tif 000015
【図１４】
2008178137.tif 000016
【図１５】
2008178137.tif 000017
【図１６】
2008178137.tif 000018
【図１７】
2008178137.tif 000019